(57)【要約】【課題】施工性がよく、衛生面でも有利なトイレ用床パネルを提供する。【解決手段】床パネル２０は、前後に２分割された前分割パネル２１及び後分割パネル２２を有し、前記前分割パネル２１と前記後分割パネル２２との境界２５が、便器１８を左右方向に横切る位置に配置されている。【選択図】図１
2019007233.tif 000002
【特許請求の範囲】
【請求項１】
前後に２分割された前分割パネル及び後分割パネルを有し、前記前分割パネルと前記後分割パネルとの境界が、便器を左右方向に横切る位置に配置されている、トイレ用床パネル。
【請求項２】
前記後分割パネルの前後方向の寸法が２５０ｍｍ以上３００ｍｍ以下である、請求項１に記載のトイレ用床パネル。
【請求項３】
前後に２分割された前分割パネル及び後分割パネルを有し、
前記後分割パネルの前後方向の寸法が２５０ｍｍ以上３００ｍｍ以下である、トイレ用床パネル。
【請求項４】
前記境界は、前記便器内の鉢部分よりも後方に配置されている、請求項１〜３のいずれか１項に記載のトイレ用床パネル。
【請求項５】
前記前分割パネル及び前記後分割パネルの左右方向の幅が、トイレ室の床部の左右方向の幅と実質的に同じ寸法である、請求項１〜４のいずれか１項に記載のトイレ用床パネル。
【請求項６】
前記前分割パネル及び前記後分割パネルの左右側方に、さらに横分割パネルを有し、
前記前分割パネル及び前記後分割パネルと、前記横分割パネルとの境界が、トイレ室内設備の下側に配置される、請求項１〜４のいずれか１項に記載のトイレ用床パネル。
【請求項７】
表面にホーロー処理が施された金属製の板材により形成されている、請求項１〜６のいずれか１項に記載のトイレ用床パネル。
【発明の詳細な説明】
【技術分野】
【０００１】
本発明は、トイレ内に設置される床パネルに関する。
【背景技術】
【０００２】
一般に、トイレ室の床は、床下地材の上にタイルをモルタルで接着したり、クッションフロアやフローリング材を接着したりすることによって施工されている。また、施工性をより高めることを目的として、特許文献１に記載された技術も知られている。この特許文献１に記載された技術は、トイレ室の床部に配設される床仕上げ板が、少なくとも便器の位置に対応して配置される央部床仕上げ板と、便器を正面からみたときに央部床仕上げ板の左右両側に隣接し、トイレ室の左右の壁側に位置するように配置される両側部床仕上げ板とによって分割されている。また、央部床仕上げ板は、便器の下方部に位置する汚垂部床仕上げ板と、汚垂部床仕上げ板の手前側に配置される前部床仕上げ板とによって分割されている。各仕上げ板は、主にセラミック板からなる。
【先行技術文献】
【特許文献】
【０００３】
【特許文献１】特開２００２−３０９７５５号公報
【発明の概要】
【発明が解決しようとする課題】
【０００４】
特許文献１に記載された床仕上げ板は、複数に分割されているので、狭い廊下やトイレ室の出入口を通して容易に搬入することができ、取り回しや取付作業がし易く、施工性を向上させることができるという利点がある。
しかしながら、央部床仕上げ板と両側部床仕上げ板との間に２箇所の継ぎ目が存在し、央部床仕上げ板を構成する汚垂部床仕上げ板と前部床仕上げ板との間にも１箇所の継ぎ目が存在する。したがって、複数の床仕上げ板間の継ぎ目が多くなり見栄えが悪くなる。また、汚垂部床仕上げ板と前部床仕上げ板との継ぎ目が利用者の足下に存在するため、尿等の汚水が継ぎ目にかかりやすくる。尿等の汚水が継ぎ目に入り込むと清掃しにくいため衛生的に好ましくない。
【０００５】
本発明は、施工性がよく、衛生面でも有利なトイレ用床パネルを提供することを目的とする。
【課題を解決するための手段】
【０００６】
（１）本発明に係るトイレ用床パネルは、
前後に２分割された前分割パネル及び後分割パネルを有し、前記前分割パネルと前記後分割パネルとの境界が、便器を左右方向に横切る位置に配置されているものである。
本発明のトイレ用床パネルは、前後に２分割された前分割パネル及び後分割パネルを有しているので、各分割パネルを可及的に小さくすることができる。したがって、トイレ室内への搬入や取り回しを容易に行うことができ、施工性を向上させることができる。また、前分割パネルと後分割パネルとの境界が便器を横切る位置に配置されているので、当該境界が利用者の視界に入りにくくなり、見栄えの悪化を防止することができる。また、前分割パネルと後分割パネルとの境界が便器を横切る位置に配置されているので、当該境界に尿等の汚水がかかりにくくなる。そのため、衛生面で有利になるとともに、比較的汚水がかかり易い前分割パネルには境界が存在しないので、拭き掃除等の清掃を容易に行うことができる。
【０００７】
（２）前記後分割パネルの前後方向の寸法は２５０ｍｍ以上３００ｍｍ以下であることが好ましい。
このような構成によって、前分割パネルをトイレ室の床下地上に設置するときに、後分割パネルの設置スペースを足の踏み場所として確保することができ、前分割パネルの施工性を向上させることができる。
【０００８】
（３）他の観点にかかるトイレ用床パネルは、
前後に２分割された前分割パネル及び後分割パネルを有し、
前記後分割パネルの前後方向の寸法は２５０ｍｍ以上３００ｍｍ以下である。
本発明のトイレ用床パネルは、前後に２分割された前分割パネル及び後分割パネルを有しているので、各分割パネルを可及的に小さくすることができる。したがって、トイレ室内への搬入や取り回しを容易に行うことができ、施工性を向上させることができる。また、前分割パネルをトイレ室の床下地上に設置するときに、後分割パネルの設置スペースを足の踏み場所として確保することができ、前分割パネルの施工性をより向上させることができる。また、前分割パネルと後分割パネルとの境界を可及的にトイレ室内の後部に配置することができるので、当該境界が利用者の視界に入りにくくなり、見栄えの悪化を防止することができる。また、前分割パネルと後分割パネルとの境界を尿等の汚水がかかりにくい可及的にトイレ室の後部に配置することができるので、衛生面で有利になるとともに、比較的汚水がかかり易い前分割パネルには境界が存在しないので、拭き掃除等の清掃を容易に行うことができる。
【０００９】
（４）前記境界は、前記便器内の鉢部分よりも後方に配置されていることが好ましい。
このような構成によって、前分割パネルと後分割パネルとの境界に、より汚水がかかりにくくなり、清掃もより容易となる。
【００１０】
（５）前記前分割パネル及び前記後分割パネルの左右方向の幅は、トイレ室の床部の左右方向の幅と実質的に同じ寸法であってもよい。
この場合、トイレ室の床部の全体を前後２枚の分割パネルによって施工することができる。
【００１１】
（６）トイレ用床パネルは、前記前分割パネル及び前記後分割パネルの左右側方に、さらに横分割パネルを有していてもよく、この場合、前記前分割パネル及び前記後分割パネルと、前記横分割パネルとの境界が、トイレ室内設備の下側に配置されることが好ましい。
このような構成によって左右方向の幅が広いトイレ室においても、施工性を高めることができる。また、前後の分割パネルと横分割パネルとの境界をトイレ室内設備によって隠し、見栄えの悪化を防止することができる。なお、トイレ室内設備としては、手洗い台やキャビネット等を挙げることができる。
【００１２】
（７）トイレ用床パネルは、表面にホーロー処理が施された金属製の板材により形成されていることが好ましい。
このような構成によって、汚れやにおいが付きにくく、強度も高い床パネルを構成することができる。
【発明の効果】
【００１３】
本発明によれば、施工性がよく、衛生面でも有利なトイレ用床パネルを提供することができる。
【図面の簡単な説明】
【００１４】
【図１】本発明の第１の実施形態に係る床パネルを設けたトイレ室の斜視図である。
【図２】トイレ室の平面図である。
【図３】（ａ）は、図２のＡ−Ａ線断面図、（ｂ）は、図２のＢ−Ｂ線断面図である。
【図４】本発明の第２の実施形態に係る床パネルを設けたトイレ室の斜視図である。
【図５】トイレ室の平面図である。
【発明を実施するための形態】
【００１５】
以下、図面を参照しながら好ましい実施の形態について説明する。
図１は、本発明の第１の実施形態に係る床パネルを設けたトイレ室の斜視図、図２は、トイレ室の平面図である。
トイレ室１０は、前後に細長い長方形状の床部１１と、この床部１１の四辺から立ち上がる左右の壁１２，１３及び前後の壁１４，１５を有している。前側の壁１４には出入口１６が設けられている。
【００１６】
床部１１の後部側には、便器１８が設置されている。便器１８は、出入口１６側に便座１８ａが向くように配置されている。便器１８の後部側にはタンク１８ｂが設けられている。なお、本明細書では、便器１８の便座１８ａが向く方向を前とし、タンク１８ｂ側を後とし、この前及び後を基準として左及び右を規定する。
【００１７】
トイレ室１０の床部１１には、床パネル２０が設けられている。床パネル２０は、金属製の板材からなり、表面にガラス質の釉薬を焼き付ける処理（ホーロー処理）が施されている。また、床パネル２０は、出入口１６側の前分割パネル２１と、便器１８側の後分割パネル２２とに２分割されている。
【００１８】
前分割パネル２１は、トイレ室１０の床部１１の前部側の大部分を占める長方形の板材からなり、トイレ室１０の床部１１と実質的に同一の左右方向の幅と、トイレ室１０の前端から便器１８に到る程の前後方向の長さを有している。前分割パネル２１の前後方向の長さは、前分割パネル２１の左右方向の幅よりも大きい。
【００１９】
後分割パネル２２は、トイレ室１０の床部１１の後部側の一部を占める長方形の板材からなり、トイレ室１０の床部１１と実質的に同一の左右方向の幅と、前分割パネル２１の後端からトイレ室１０の後端に到る程の前後方向の長さとを有する。後分割パネル２２は、前後方向の長さよりも左右方向の幅の方が大きい。具体的に、後分割パネル２２の前後方向の長さ寸法Ｌは２５０ｍｍ以上３００ｍｍ以下とされている。
【００２０】
前分割パネル２１の後端縁と、後分割パネル２２の前端縁とは、互いに対向して配置され、両分割パネルの境界２５を構成している。前後分割パネル２１，２２の境界２５は、左右方向の伸びている。また、前後分割パネル２１，２２の境界２５は、便器１８を左右方向に横切るように配置されている。
【００２１】
また、前後分割パネル２１，２２の境界２５は、便器１８内の鉢部分１８ｃ（水が流れ、下端が排水管に繋がる下方先細り形状の部分）よりも後方に配置されている。
なお、前後分割パネル２１，２２には、適宜箇所に排水管を通すための開口や、便器１８を取り付けるための孔等が形成される。
【００２２】
図３（ａ）は、図２のＡ−Ａ線断面図、図３（ｂ）は、図２のＢ−Ｂ線断面図である。
前分割パネル２１と後分割パネル２２との境界２５にはわずかな隙間ｔ１が形成され、この隙間ｔ１には見切り材３１が設けられている。この見切り材３１は、金属や合成樹脂材等によって略Ｔ字形状に形成され、隙間ｔ１に嵌め込まれた状態で床下地１９や分割パネル２１，２２に接着される。また、見切り材３１は、シーリング剤やコーキング剤等を隙間ｔ１に充填することによって構成することもできる。
【００２３】
また、後壁１５と後分割パネル２２との間にもわずかな隙間ｔ２が形成され、この隙間ｔ２にも見切り材３２が設けられている。この見切り材３２も、前述の見切り材３１と同様に、金属や合成樹脂材等によって形成されている。また、見切り材３２は、略Ｌ字形状に形成されている。見切り材３２は、隙間ｔ２に嵌め込まれた状態で床下地１９や分割パネル２１，２２に接着される。また見切り材３２は、シーリング剤やコーキング剤等を隙間ｔ２に充填することによって構成することもできる。なお、他の壁１２〜１４と前後分割パネル２１，２２との隙間にも見切り材３２が設けられている。なお、見切り材３２に代えて壁１２〜１５に取り付けられる巾木を用いてもよい。
【００２４】
以上の構成において、本実施形態の床パネル２０は、前分割パネル２１と後分割パネル２２とからなっているので、床部１１の全面が１枚の床パネルによって構成される場合と比べて、各分割パネル２１，２２をそれぞれ小さくすることができる。そのため、出入口１６から各分割パネル２１，２２の搬入やトイレ室１０内における各分割パネル２１，２２の取り回し等を容易に行うことができ、施工性を高めることができる。
【００２５】
また、後分割パネル２２の前後方向の寸法Ｌは、２５０ｍｍ以上３００ｍｍ以下であり、作業者の足のサイズと同等かそれに近い寸法を有している。そのため、床下地１９上における後分割パネル２２の設置スペースを足の踏み場所として用い、前分割パネル２１を床下地１９上に設置することができる。
【００２６】
例えば、二人の作業者によって前分割パネル２１の長手方向の両端部をそれぞれ手に持ち、当該前分割パネル２１をトイレ室１０内に搬入するとき、後側の作業者は、トイレ室１０の奥まで入り込み後分割パネル２２の設置スペースを足の踏み場所とすることができる。そして、そのまま前分割パネル２１を下方に降ろすことによって床下地１９上に前分割パネル２１を設置することができる。
【００２７】
前分割パネル２１を設置したあとは、比較的小型の後分割パネル２２をトイレ室１０内に搬入して、前分割パネル２１の後側に設置すればよい。したがって、前後の分割パネル２１，２２を容易に設置することができ、施工性を高めることができる。なお、前後の分割パネル２１，２２の設置順は、上記に限定されるものではなく、後分割パネル２２から先に設置してもよい。
【００２８】
なお、後分割パネル２２の前後方向の寸法Ｌが２５０ｍｍ未満であると、施工時の足の踏み場所を十分に確保することができなくなり、３００ｍｍを超えると、前後分割パネルの境界がより前側に位置することになって尿等の汚水がかかりやすくなる。したがって、後分割パネル２２の前後方向の寸法Ｌは、２５０ｍｍ以上３００ｍｍ以下の範囲で設定することがより好適である。ただし、後分割パネル２２の前後方向の寸法Ｌは、より狭い範囲内で設定することも可能である。例えば、当該寸法Ｌは、２５５ｍｍ以上２９５ｍｍ以下であってもよく、２６０ｍｍ以上２９０ｍｍ以下であってもよい。また、２６５ｍｍ以上２８５ｍｍ以下であってもよく、２６０ｍｍ以上２８０ｍｍ以下であってもよい。
【００２９】
図２に示すように、前後の分割パネル２１，２２の境界２５は、便器１８を横切る位置に配置されている。そのため、利用者の視界に境界２５が入りにくくなり、見栄えの悪化を防止することができる。また、便器１８の前に立つ利用者の尿等が便器１８外へ飛び散ったとしても、前後の分割パネル２１，２２の境界２５にはかかりにくくなる。したがって、前後の分割パネル２１，２２の境界２５を頻繁に清掃する必要性が低くなる。この境界２５には見切り材３１が設けられ、見切り材３１は僅かながら突出しているために、前後の分割パネル２１，２２に渡って拭き掃除等を行う際の邪魔になる。しかしながら、本実施形態では、前後の分割パネル２１，２２の境界２５よりも後側には尿等の汚水がかかりにくくなっているため、境界２５を跨いで清掃する必要性が低くなる。したがって、本実施形態では、清掃が容易となり、衛生面で有利となる。
【００３０】
また、前後の分割パネル２１，２２の境界２５は、便器１８の鉢部分１８ｃよりも後側に配置されているので、鉢部分１８ｃから飛び跳ねた汚水が境界２５及びそれよりも後分割パネル２２にかかりにくくなっている。そのため、より清掃が容易になり、衛生面でもより有利となる。
また、汚水がかかり易い前分割パネル２１には境界２５が存在していないため、容易に清掃を行うことができる。
【００３１】
なお、前後の分割パネル２１，２２は、金属製の板材により構成されているので、強度が高く耐久性に富む。そして、分割パネル２１，２２の表面には、ホーロー処理が施されているので、汚れやにおいが付きにくくなっている。
【００３２】
図４は、本発明の第２の実施形態に係る床パネルを設けたトイレ室の斜視図、図５は、トイレ室の平面図である。
本実施形態では、床パネル２０が、前述の前分割パネル２１及び後分割パネル２２に加えて、横分割パネル２３を備えている。この横分割パネル２３は、前分割パネル２１及び後分割パネル２２の左右片側（図示例では右側）に隣接して配置され、トイレ室１０の前端から後端にわたる前後方向の長さを有している。
【００３３】
横分割パネル２３と前分割パネル２１及び後分割パネル２２との間には隙間が形成され、この隙間には、図３（ａ）に示すような見切り材３１が設けられている。また、横分割パネル２３とトイレ室１０の壁１２〜１５との隙間には、図３（ｂ）に示すような見切り材３２が設けられている。
【００３４】
また、本実施形態では、トイレ室１０内に手洗いキャビネット４０が設置されている。この手洗いキャビネット４０は、トイレ室１０の前後方向に細長い直方体形状であり、トイレ室１０の側壁１３に沿って配置され、奥側の後壁１５に突き合わされている。手洗いキャビネット４０には、手洗器４１、カウンター４２、キャビネット本体４３、ペーパーホルダー４４等が設けられている。
【００３５】
また、手洗いキャビネット４０の左右幅Ｗ１は、横分割パネル２３の左右幅Ｗ２よりも大きく、手洗いキャビネット４０は、横分割パネル２３と前後分割パネル２１，２２との境界２６上に配置されている。
本実施形態では、第１の実施形態と同様の作業によって、前後の分割パネル２１，２２を設置し、その後に、横分割パネル２３を設置することができる。あるいは、横分割パネル２３を設置してから前後の分割パネル２１，２２を設定してもよい。いずれにおいても、各分割パネル２１〜２３の搬入や取り回しは容易であり、施工性が高められている。また、横分割パネル２３と前後分割パネル２１，２２の境界２６は、大部分が手洗いキャビネット４０によって覆われているので、当該境界２６に汚水がかかることはほとんど無く、見栄えが悪化することもほとんど無い。
【００３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３７】
例えば、床パネル２０は、ホーロー処理以外の表面処理が施された金属板又はその他の材質の板によって構成することができる。ただし、ホーロー処理が施された金属板を用いることによって、前述したように強度面及び衛生面で有利な床パネルを構成することができる。
前分割パネル２１と後分割パネル２２との境界２５は、必ずしも左右方向に沿って直線状に配置されていなくてもよく、左右方向に対して傾斜していたり、曲線状に形成されていたりしてもよい。
【００３８】
第２の実施形態において、トイレ室１０には、手洗いキャビネット４０以外の他のトイレ室内設備が前後分割パネル２１，２２と横分割パネル２３との境界２６上に配置されていてもよい。また、第２の実施形態において、前後分割パネル２１，２２の左右両側に横分割パネル２３が設けられていてもよい。
トイレ室１０の出入口１６は、トイレ室１０の左又は右の壁１２，１３に設けられていてもよい。
【００３９】
第１及び第２の実施形態において、トイレ室１０の床部１１は、前後方向の長さよりも左右方向の幅の方が小さく形成されているが、前後方向の長さよりも左右方向の幅の方が大きく形成されていてもよい。このような場合においても、床パネル２０は、第１の実施形態のように、前後の分割パネル２１，２２のみによって構成されていてもよいし、第２の実施形態のように、前後の分割パネル２１，２２と横分割パネル２３とによって構成されていてもよい。
【符号の説明】
【００４０】
１０    ：トイレ室
１８    ：便器
１８ｃ  ：鉢部分
２０    ：床パネル
２１    ：前分割パネル
２２    ：後分割パネル
２３    ：横分割パネル
２５    ：境界
２６    ：境界
４０    ：キャビネット（トイレ室内設備）
【図１】
2019007233.tif 000003
【図２】
2019007233.tif 000004
【図３】
2019007233.tif 000005
【図４】
2019007233.tif 000006
【図５】
2019007233.tif 000007